【手続補正書】
【提出日】平成29年7月19日(2017.7.19)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器（ＵＥ）に無認可スペクトルを介して、データフレームに対応するシーケンス番号と、前記データフレームの１つまたは複数のデータサブフレームとを送信することと、
前記データフレームに対応する前記シーケンス番号が、指定された順序で前記ＵＥによって受信されると、前記ＵＥから前記無認可スペクトルを介して、前記１つまたは複数のデータサブフレームについてのハイブリッド自動再送要求（ＨＡＲＱ）フィードバックを受信することと、
ＨＡＲＱフィードバックが前記１つまたは複数のデータサブフレームについて前記ＵＥによって送信されないと決定することに応答して、前記ＵＥが順序が乱れて前記データフレームを受信したと決定することと、
を備える、方法。
【請求項２】
前記ＵＥに前記無認可スペクトルを介して、後続のデータフレームに対応するシーケンス番号と、前記後続のデータフレームの１つまたは複数のデータサブフレームとを送信することと、
前記後続のデータフレームのための前記シーケンス番号が、前記指定された順序で前記ＵＥによって受信されると、前記ＵＥから前記無認可スペクトルを介して、前記後続のデータフレームの前記１つまたは複数のデータサブフレームについてのＨＡＲＱフィードバックを受信することと
をさらに備える、請求項１に記載の方法。
【請求項３】
前記ＵＥから前記無認可スペクトルを介して、前記１つまたは複数のデータサブフレームについてのＨＡＲＱフィードバックを受信することが、
前記１つまたは複数のデータサブフレームの各々について別個のＨＡＲＱフィードバックメッセージを受信することを備える、請求項１に記載の方法。
【請求項４】
前記ＵＥから前記無認可スペクトルを介して、前記１つまたは複数のデータサブフレームについてのＨＡＲＱフィードバックを受信することが、
前記データフレーム中に、前記１つまたは複数のデータサブフレームのサブセットについてのＨＡＲＱフィードバックを受信することと、
次のデータフレーム中に、前記１つまたは複数のデータサブフレームの残りのサブセットについてのＨＡＲＱフィードバックを受信することと
を備える、請求項１に記載の方法。
【請求項５】
前記ＵＥから前記無認可スペクトルを介して、前記１つまたは複数のデータサブフレームについてのＨＡＲＱフィードバックを受信することが、
１つまたは複数の対応するアップリンクサブフレームの各々中に、前記１つまたは複数のデータサブフレームの各々についてのＨＡＲＱフィードバックを受信すること、ここにおいて、各対応するアップリンクサブフレームが、前記データフレーム中に、または次のデータフレーム中に発生する、
を備える、請求項１に記載の方法。
【請求項６】
前記無認可スペクトルの利用可能性を決定するためにクリアチャネルアセスメント（ＣＣＡ）を実行することと、
前記無認可スペクトルが利用可能であるという決定が行われると、前記データフレーム中に前記無認可スペクトルにアクセスすることと
をさらに備える、請求項１に記載の方法。
【請求項７】
無認可スペクトルを介したチャネルアクセスを要求するために送信要求（ＲＴＳ）信号を送信することと、
前記無認可スペクトルが利用可能であるとき、前記ＲＴＳ信号に応答して、送信可（ＣＴＳ）信号を受信することと
をさらに備える、請求項１に記載の方法。
【請求項８】
前記無認可スペクトルが送信のために利用可能であるとき、送信可（ＣＴＳ）信号を送信すること
をさらに備える、請求項１に記載の方法。
【請求項９】
ワイヤレス通信のための装置であって、
ユーザ機器（ＵＥ）に無認可スペクトルを介して、データフレームに対応するシーケンス番号と、前記データフレームの１つまたは複数のデータサブフレームとを送信するための手段と、
前記データフレームに対応する前記シーケンス番号が、指定された順序で前記ＵＥによって受信されると、前記ＵＥから前記無認可スペクトルを介して、前記１つまたは複数のデータサブフレームについてのハイブリッド自動再送要求（ＨＡＲＱ）フィードバックを受信するための手段と、
ＨＡＲＱフィードバックが前記１つまたは複数のデータサブフレームについて前記ＵＥによって送信されないと決定することに応答して、前記ＵＥが順序が乱れて前記データフレームを受信したと決定するための手段と、
を備える、装置。
【請求項１０】
ワイヤレス通信のための方法であって、
ユーザ機器（ＵＥ）に無認可スペクトルを介して、データフレームに対応するシーケンス番号と、ハイブリッド自動再送要求（ＨＡＲＱ）フィードバックとを送信することと、
前記データフレームに対応する前記シーケンス番号が、指定された順序で前記ＵＥによって受信されると、前記ＨＡＲＱフィードバックに応答して、前記ＵＥから前記無認可スペクトルを介して、１つまたは複数のデータサブフレームを受信することと、
前記１つまたは複数のデータサブフレームが前記ＵＥによって送信されないと決定することに応答して、前記ＵＥが順序が乱れて前記データフレームを受信したと決定することと、
を備える、方法。
【請求項１１】
前記ＵＥに前記無認可スペクトルを介して、後続のデータフレームに対応するシーケンス番号と、後続のＨＡＲＱフィードバックとを送信することと、
前記後続のデータフレームのための前記シーケンス番号が、前記指定された順序で前記ＵＥによって受信されると、前記後続のＨＡＲＱフィードバックに応答して、前記ＵＥから前記無認可スペクトルを介して、１つまたは複数の追加のデータサブフレームを受信することと
をさらに備える、請求項１０に記載の方法。
【請求項１２】
前記ＨＡＲＱフィードバックが、１つまたは複数のＨＡＲＱフィードバックメッセージを備え、
前記ＵＥから前記無認可スペクトルを介して、１つまたは複数のデータサブフレームを受信することが、前記１つまたは複数のＨＡＲＱフィードバックメッセージの各々について別個のデータサブフレームを受信することを備える、
請求項１０に記載の方法。
【請求項１３】
前記ＵＥから前記無認可スペクトルを介して、１つまたは複数のデータサブフレームを受信することが、
１つまたは複数の対応するアップリンクサブフレームの各々中に、前記１つまたは複数のデータサブフレームの各々を受信すること、ここにおいて、各対応するアップリンクサブフレームが、前記データフレーム中に発生する、
を備える、請求項１０に記載の方法。
【請求項１４】
ワイヤレス通信のための装置であって、
ユーザ機器（ＵＥ）に無認可スペクトルを介して、データフレームに対応するシーケンス番号と、ハイブリッド自動再送要求（ＨＡＲＱ）フィードバックとを送信するための手段と、
前記データフレームに対応する前記シーケンス番号が、指定された順序で前記ＵＥによって受信されると、前記ＨＡＲＱフィードバックに応答して、前記ＵＥから前記無認可スペクトルを介して、１つまたは複数のデータサブフレームを受信するための手段と、
前記１つまたは複数のデータサブフレームが前記ＵＥによって送信されないと決定することに応答して、前記ＵＥが順序が乱れて前記データフレームを受信したと決定するための手段と、
を備える、装置。
【請求項１５】
請求項１乃至８または１０乃至１３のうちの１つの前記方法の全てのステップを実施するようにコンピュータ実行可能なプログラム命令を備える、コンピュータプログラム。
【手続補正２】
【補正対象書類名】明細書
【補正対象項目名】０１８２
【補正方法】変更
【補正の内容】
【０１８２】
[0196]本開示のこれまでの説明は、当業者が本開示を作成または使用することを可能にするために提供される。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示される原理および新規の特徴に合致する最も広い範囲を与えられるべきである。
以下に、本願の出願当初の特許請求の範囲に記載された発明を付記する。
［Ｃ１］
ワイヤレス通信のための方法であって、
ユーザ機器（ＵＥ）に無認可スペクトルを介して、データフレームに対応するシーケンス番号と、前記データフレームの１つまたは複数のデータサブフレームとを送信することと、
前記データフレームに対応する前記シーケンス番号が、指定された順序で前記ＵＥによって受信されると、前記ＵＥから前記無認可スペクトルを介して、前記１つまたは複数のデータサブフレームについてのハイブリッド自動再送要求（ＨＡＲＱ）フィードバックを受信することと
を備える、方法。
［Ｃ２］
前記データフレームに対応する前記シーケンス番号が、順序が乱れて前記ＵＥによって受信されると、ＨＡＲＱフィードバックが前記１つまたは複数のデータサブフレームについて前記ＵＥによって送信されない、Ｃ１に記載の方法。
［Ｃ３］
前記ＵＥに前記無認可スペクトルを介して、後続のデータフレームに対応するシーケンス番号と、前記後続のデータフレームの１つまたは複数のデータサブフレームとを送信することと、
前記後続のデータフレームのための前記シーケンス番号が、前記指定された順序で前記ＵＥによって受信されると、前記ＵＥから前記無認可スペクトルを介して、前記後続のデータフレームの前記１つまたは複数のデータサブフレームについてのＨＡＲＱフィードバックを受信することと
をさらに備える、Ｃ１に記載の方法。
［Ｃ４］
前記ＵＥから前記無認可スペクトルを介して、前記１つまたは複数のデータサブフレームについてのＨＡＲＱフィードバックを受信することが、
前記１つまたは複数のデータサブフレームの各々について別個のＨＡＲＱフィードバックメッセージを受信することを備える、Ｃ１に記載の方法。
［Ｃ５］
前記ＵＥから前記無認可スペクトルを介して、前記１つまたは複数のデータサブフレームについてのＨＡＲＱフィードバックを受信することが、
前記データフレーム中に、前記１つまたは複数のデータサブフレームのサブセットについてのＨＡＲＱフィードバックを受信することと、
次のデータフレーム中に、前記１つまたは複数のデータサブフレームの残りのサブセットについてのＨＡＲＱフィードバックを受信することと
を備える、Ｃ１に記載の方法。
［Ｃ６］
前記ＵＥから前記無認可スペクトルを介して、前記１つまたは複数のデータサブフレームについてのＨＡＲＱフィードバックを受信することが、
１つまたは複数の対応するアップリンクサブフレームの各々中に、前記１つまたは複数のデータサブフレームの各々についてのＨＡＲＱフィードバックを受信すること、ここにおいて、各対応するアップリンクサブフレームが、前記データフレーム中に、または次のデータフレーム中に発生する、
を備える、Ｃ１に記載の方法。
［Ｃ７］
前記無認可スペクトルの利用可能性を決定するためにクリアチャネルアセスメント（ＣＣＡ）を実行することと、
前記無認可スペクトルが利用可能であるという決定が行われると、前記データフレーム中に前記無認可スペクトルにアクセスすることと
をさらに備える、Ｃ１に記載の方法。
［Ｃ８］
無認可スペクトルを介したチャネルアクセスを要求するために送信要求（ＲＴＳ）信号を送信することと、
前記無認可スペクトルが利用可能であるとき、前記ＲＴＳ信号に応答して、送信可（ＣＴＳ）信号を受信することと
をさらに備える、Ｃ１に記載の方法。
［Ｃ９］
前記無認可スペクトルが送信のために利用可能であるとき、送信可（ＣＴＳ）信号を送信すること
をさらに備える、Ｃ１に記載の方法。
［Ｃ１０］
ワイヤレス通信のための装置であって、
ユーザ機器（ＵＥ）に無認可スペクトルを介して、データフレームに対応するシーケンス番号と、前記データフレームの１つまたは複数のデータサブフレームとを送信するための手段と、
前記データフレームに対応する前記シーケンス番号が、指定された順序で前記ＵＥによって受信されると、前記ＵＥから前記無認可スペクトルを介して、前記１つまたは複数のデータサブフレームについてのハイブリッド自動再送要求（ＨＡＲＱ）フィードバックを受信するための手段と
を備える、装置。
［Ｃ１１］
前記データフレームに対応する前記シーケンス番号が、順序が乱れて前記ＵＥによって受信されると、ＨＡＲＱフィードバックが前記１つまたは複数のデータサブフレームについて前記ＵＥによって送信されない、Ｃ１０に記載の装置。
［Ｃ１２］
前記ＵＥに前記無認可スペクトルを介して、後続のデータフレームに対応するシーケンス番号と、前記後続のデータフレームの１つまたは複数のデータサブフレームとを送信するための手段と、
前記後続のデータフレームのための前記シーケンス番号が、前記指定された順序で前記ＵＥによって受信されると、前記ＵＥから前記無認可スペクトルを介して、前記後続のデータフレームの前記１つまたは複数のデータサブフレームについてのＨＡＲＱフィードバックを受信するための手段と
をさらに備える、Ｃ１０に記載の装置。
［Ｃ１３］
前記１つまたは複数のデータサブフレームの各々について別個のＨＡＲＱフィードバックメッセージを受信するための手段
をさらに備える、Ｃ１０に記載の装置。
［Ｃ１４］
前記データフレーム中に、前記１つまたは複数のデータサブフレームのサブセットについてのＨＡＲＱフィードバックを受信するための手段と、
次のデータフレーム中に、前記１つまたは複数のデータサブフレームの残りのサブセットについてのＨＡＲＱフィードバックを受信するための手段と
をさらに備える、Ｃ１０に記載の装置。
［Ｃ１５］
１つまたは複数の対応するアップリンクサブフレームの各々中に、前記１つまたは複数のデータサブフレームの各々についてのＨＡＲＱフィードバックを受信するための手段、ここにおいて、各対応するアップリンクサブフレームが、前記データフレーム中に、または次のデータフレーム中に発生する、
をさらに備える、Ｃ１０に記載の装置。
［Ｃ１６］
前記無認可スペクトルの利用可能性を決定するためにクリアチャネルアセスメント（ＣＣＡ）を実行するための手段と、
前記無認可スペクトルが利用可能であるという決定が行われると、前記データフレーム中に、前記無認可スペクトルにアクセスするための手段と
をさらに備える、Ｃ１０に記載の装置。
［Ｃ１７］
無認可スペクトルを介したチャネルアクセスを要求するために送信要求（ＲＴＳ）信号を送信するための手段と、
前記無認可スペクトルが送信のために利用可能であるとき、前記ＲＴＳ信号に応答して、送信可（ＣＴＳ）信号を受信するための手段と
をさらに備える、Ｃ１０に記載の装置。
［Ｃ１８］
前記無認可スペクトルが利用可能であるとき、送信可（ＣＴＳ）信号を送信するための手段
をさらに備える、Ｃ１０に記載の装置。
［Ｃ１９］
ワイヤレス通信のための方法であって、
ユーザ機器（ＵＥ）に無認可スペクトルを介して、データフレームに対応するシーケンス番号と、ハイブリッド自動再送要求（ＨＡＲＱ）フィードバックとを送信することと、
前記データフレームに対応する前記シーケンス番号が、指定された順序で前記ＵＥによって受信されると、前記ＨＡＲＱフィードバックに応答して、前記ＵＥから前記無認可スペクトルを介して、１つまたは複数のデータサブフレームを受信することと
を備える、方法。
［Ｃ２０］
前記データフレームに対応する前記シーケンス番号が、順序が乱れて前記ＵＥによって受信されると、前記１つまたは複数のデータサブフレームが前記ＵＥによって送信されない、Ｃ１９に記載の方法。
［Ｃ２１］
前記ＵＥに前記無認可スペクトルを介して、後続のデータフレームに対応するシーケンス番号と、後続のＨＡＲＱフィードバックとを送信することと、
前記後続のデータフレームのための前記シーケンス番号が、前記指定された順序で前記ＵＥによって受信されると、前記後続のＨＡＲＱフィードバックに応答して、前記ＵＥから前記無認可スペクトルを介して、１つまたは複数の追加のデータサブフレームを受信することと
をさらに備える、Ｃ１９に記載の方法。
［Ｃ２２］
前記ＨＡＲＱフィードバックが、１つまたは複数のＨＡＲＱフィードバックメッセージを備え、
前記ＵＥから前記無認可スペクトルを介して、１つまたは複数のデータサブフレームを受信することが、前記１つまたは複数のＨＡＲＱフィードバックメッセージの各々について別個のデータサブフレームを受信することを備える、
Ｃ１９に記載の方法。
［Ｃ２３］
前記ＵＥから前記無認可スペクトルを介して、１つまたは複数のデータサブフレームを受信することが、
１つまたは複数の対応するアップリンクサブフレームの各々中に、前記１つまたは複数のデータサブフレームの各々を受信すること、ここにおいて、各対応するアップリンクサブフレームが、前記データフレーム中に発生する、
を備える、Ｃ１９に記載の方法。
［Ｃ２４］
前記無認可スペクトルの利用可能性を決定するためにクリアチャネルアセスメント（ＣＣＡ）を実行することと、
前記無認可スペクトルが利用可能であるという決定が行われると、前記データフレーム中に、前記無認可スペクトルにアクセスすることと
をさらに備える、Ｃ１９に記載の方法。
［Ｃ２５］
ワイヤレス通信のための装置であって、
ユーザ機器（ＵＥ）に無認可スペクトルを介して、データフレームに対応するシーケンス番号と、ハイブリッド自動再送要求（ＨＡＲＱ）フィードバックとを送信するための手段と、
前記データフレームに対応する前記シーケンス番号が、指定された順序で前記ＵＥによって受信されると、前記ＨＡＲＱフィードバックに応答して、前記ＵＥから前記無認可スペクトルを介して、１つまたは複数のデータサブフレームを受信するための手段と
を備える、装置。
［Ｃ２６］
前記データフレームに対応する前記シーケンス番号が、順序が乱れて前記ＵＥによって受信されると、前記１つまたは複数のデータサブフレームが前記ＵＥによって送信されない、Ｃ２５に記載の装置。
［Ｃ２７］
前記ＵＥに前記無認可スペクトルを介して、後続のデータフレームに対応するシーケンス番号と、後続のＨＡＲＱフィードバックとを送信するための手段と、
前記後続のデータフレームのための前記シーケンス番号が、前記指定された順序で前記ＵＥによって受信されると、前記後続のＨＡＲＱフィードバックに応答して、前記ＵＥから前記無認可スペクトルを介して、１つまたは複数の追加のデータサブフレームを受信するための手段と
をさらに備える、Ｃ２５に記載の装置。
［Ｃ２８］
前記ＨＡＲＱフィードバックが、１つまたは複数のＨＡＲＱフィードバックメッセージを備え、
前記ＵＥから前記無認可スペクトルを介して、１つまたは複数のデータサブフレームを受信するための手段が、前記１つまたは複数のＨＡＲＱフィードバックメッセージの各々について別個のデータサブフレームを受信するための、プロセッサによって実行可能な命令を備える、
Ｃ２５に記載の装置。
［Ｃ２９］
１つまたは複数の対応するアップリンクサブフレームの各々中に、前記１つまたは複数のデータサブフレームの各々を受信するための手段、ここにおいて、各対応するアップリンクサブフレームが、前記データフレーム中に発生する、
をさらに備える、Ｃ２５に記載の装置。
［Ｃ３０］
前記無認可スペクトルの利用可能性を決定するためにクリアチャネルアセスメント（ＣＣＡ）を実行するための手段と、
前記無認可スペクトルが利用可能であるという決定が行われると、前記データフレーム中に、前記無認可スペクトルにアクセスするための手段と
をさらに備える、Ｃ２５に記載の装置。